(57)【特許請求の範囲】
【請求項１】
シート状の台紙本体の一部が切り起こされた切起片を有し、上記切起片を被吊下物の挿通孔に挿入して、その被吊下物を吊り下げる商品陳列用吊下具において、
上記切起片は、上記台紙本体から切り起こされた基部片と、上記台紙本体から切り離され上記基部片の左右両側に折り曲げ可能に連設された第１係止片および第２係止片とを備え、
上記基部片は上記挿通孔の直径よりも狭い幅をもって上記台紙から切り起こされ、上端縁のみが折曲部として上記台紙本体に連設されており、
上記基部片および上記各係止片を同一平面上に平行に伸ばした状態では、上記切起片の幅が上記挿通孔の直径よりも大きくなる一方で、上記各係止片を上記基部片に対し所定角度で折り曲げることにより、上記切起片が上記挿通孔内に挿入可能な幅とされ、
上記基部片と上記各係止片との間には、上記各係止片の上端部から上記折曲部よりも下方に向けて切り込まれた切れ目線からなる上記挿通孔の内縁を係止するための溝が形成されているとともに、
上記台紙本体の上記切起片が切り抜かれて形成される切抜き孔の下端部には、上記基部片とほぼ同じ幅を有して山形状に形成された上記被吊下物の挿通孔を引っ掛かけて係止するための舌片が設けられていることを特徴とする商品陳列用吊下具。
【請求項２】
上記切起片は、上記基部片の幅をＷ１、上記第１係止片および第２係止片の各幅をＷ２として、上記各係止片の幅Ｗ２がＷ１／２≦Ｗ２＜Ｗ１の範囲内とされていることを特徴とする請求項１に記載の商品陳列用吊下具。
【請求項３】
上記基部片の上記折曲部から下端縁に至る長さＨは、同基部片の幅Ｗ１よりも大きくされていることを特徴とする請求項１または２に記載の商品陳列用吊下具。
【発明の詳細な説明】
【０００１】
【発明の属する技術分野】
本発明は商品を台紙に吊り下げて陳列する商品陳列用吊下具に関し、さらに詳しく言えば、台紙の一部を切り起こして形成された切起片に商品のパッケージなどに穿設されている挿通孔を挿通して商品を吊り下げるようにした商品陳列用吊下具に関するものである。
【０００２】
【従来の技術】
例えば、接着テープやフックなどの事務用品や日曜雑貨品は、多くの場合、ブリスターパッケージや小箱もしくは小袋などの包装容器内に収納され、店頭に陳列する場合、台紙の一部を切り起こしてなる切起片に、包装容器に穿設されている挿通孔を挿入して吊り下げるようにしている。
【０００３】
その商品陳列用吊下具の一例を図６の部分平面図および図７の要部斜視図により説明すると、厚紙などの台紙１０を備え、その一部に切起片２０が設けられている。この切起片２０は、上側を残してＵ字状に切れ目線を入れてなる第１切起片２０１と、この第１切起片２０１内において下側を残して逆Ｕ字状に切れ目線を入れてなる第２切起片２０２とを備えている。
【０００４】
この切起片２０に商品（被吊下物）５を吊り下げるには、まず、第１切起片２０１を台紙１０の例えば紙面手前側に若干引き起こす。次に、第２切起片２０２を紙面後側に押し込むようにして引き起こす。
【０００５】
そして、商品５のパッケージ上端を台紙１０と第１切起片２０１との間に差し込んで、そのパッケージに穿設されている挿通孔（吊下げ孔）５１を第２切起片２０２に引っ掛ける。これにより、商品５を台紙１０に取り付けることができ、また、挿通孔５１を第２切起片２０２から引き抜くことにより、商品５を台紙１０から外すことができる。
【０００６】
このように、この商品陳列用吊下具によれば、台紙１０に対して商品５を簡単に取り付け、取り外しができるとともに、台紙１０に切起片２０を形成するための抜き型も単純なものでよく、したがって安価でもあるため広く普及されている。
【０００７】
【発明が解決しようとする課題】
しかしながら、この従来例では切起片２０に商品５の上下方向の動きを止めるものがないため、輸送中などの振動によって、商品５が切起片２０から外れやすいという課題があった。なお、商品５の上端側は第１切起片２０１と台紙１０との間に差し込まれているものの、これだけでは商品５の上下方向の動きを封ずることは困難である。
【０００８】
また、切起片２０は一枚の単純形状の紙片からなるため、その構造上、重量が軽いものしか掛けることしかできない。すなわち、吊り下げ荷重に制限があり、それを超えるような重いものを掛けると、第２切起片２０２が下側に折れ曲がってしまうおそれがある。
【０００９】
【課題を解決するための手段】
本発明は、このような課題を解決するためになされたものであって、その目的は、輸送中などの振動により被吊下物である商品が外れることがなく、しかも耐荷重性に優れた商品陳列用吊下具を提供することにある。
【００１０】
上記目的を達成するため、本発明は、シート状の台紙本体の一部が切り起こされた切起片を有し、上記切起片を被吊下物の挿通孔に挿入して、その被吊下物を吊り下げる商品陳列用吊下具において、上記切起片は、上記台紙本体から切り起こされた基部片と、上記台紙本体から切り離され上記基部片の左右両側に折り曲げ可能に連設された第１係止片および第２係止片とを備え、上記基部片は上記挿通孔の直径よりも狭い幅をもって上記台紙から切り起こされ、上端縁のみが折曲部として上記台紙本体に連設されており、上記基部片および上記各係止片を同一平面上に平行に伸ばした状態では、上記切起片の幅が上記挿通孔の直径よりも大きくなる一方で、上記各係止片を上記基部片に対し所定角度で折り曲げることにより、上記切起片が上記挿通孔内に挿入可能な幅とされ、上記基部片と上記各係止片との間には、上記各係止片の上端部から上記折曲部よりも下方に向けて切り込まれた切れ目線からなる上記挿通孔の内縁を係止するための溝が形成されているとともに、上記台紙本体の上記切起片が切り抜かれて形成される切抜き孔の下端部には、上記基部片とほぼ同じ幅を有して山形状に形成された上記被吊下物の挿通孔を引っ掛かけて係止するための舌片が設けられていることを特徴としている。
【００１１】
ここで、上記切起片は、上記基部片の幅をＷ１、上記第１係止片および第２係止片の各幅をＷ２として、上記各係止片の幅Ｗ２がＷ１／２≦Ｗ２＜Ｗ１の範囲内とされていることが望ましい。
【００１２】
この商品陳列用吊下具によれば、基部片の両側に連設された第１および第２係止片を例えば基部片と重なるように折り曲げることにより、切起片の全体が被吊下物の挿通孔よりも小径になる。したがって、この状態で被吊下物の挿通孔に挿通し、第１および第２係止片を広げて元の状態に戻すことにより、この各係止片が挿通孔に対するストッパ的な役割を果たし、被吊下物が確実に保持されることになる。
【００１３】
本発明において、上記基部片の上端縁（折曲部）から下端縁に至る長さＨは、同基部片の幅Ｗ１よりも大きくされていることが好ましい。これによれば、基部片の長さが被吊下物側の挿通孔の孔径よりも大きくなり、輸送中の振動や衝撃に対して被吊下物が外れにくくなる。
【００１４】
また、上記基部片と上記各係止片との間には、上記各係止片の上端部から上記折曲部より下方に向けて切り込まれた切れ目線からなり上記挿通孔の内縁を係止するための溝が形成されていることにより、特に被吊下物が重い場合には、その挿通孔の内縁がその溝内に食い込むことになり、輸送中の振動や衝撃に対して被吊下物がより一層外れにくくなる。
【００１６】
【発明の実施の形態】
次に、本発明の実施の形態について図面を参照しながら説明する。
【００１７】
図１の要部平面図および図２の要部斜視図に示されているように、この商品陳列用吊下具１は、１枚の厚紙もしくは合成樹脂シートなどからなる台紙１を備え、その一部に切抜き型などにより切り抜かれた切起片２が形成されている。なお、図には切起片２が１つしか示されていないが、実際には所定の配列をもってその複数個が設けられている。
【００１８】
切起片２は、台紙１に連結される折曲部３１を有する基部片３と、この基部片３の左右両側に連設された係止片４ａ、４ｂとを備えている。この切起片２は、基部片３の上端に位置する折曲部３１を除いて、その他の周縁には切れ目線が入れられ、台紙１から切り離されている。各係止片４ａ、４ｂは基部片３を中心として左右対称形であるとともに、仮想の折曲線Ａ，Ａを介して基部片３に対して折り曲げ可能である。
【００１９】
基部片３と各係止片４ａ、４ｂとの間には、上記係止片４ａ，４ｂの上端部から折曲部３１よりも下方に向けて切り込まれた切れ目線によって、谷溝４１ａ，４１ｂがそれぞれ形成されている。この実施例において、谷溝４１ａ，４１ｂは、折曲部３１の両端を頂点とし、仮想の折曲線Ａ、Ａ方向に向けて半円状に形成されているが、三角形状や台形状の山形であってもよい。
【００２０】
ここで、基部片３の幅をＷ１、各係止片４ａ，４ｂの幅をＷ２とすると、基部片３の幅Ｗ１は、台紙１に吊り下げる商品（被吊下物）５側に穿設されている挿通孔５１（図３参照）の直径よりも狭くされ、各係止片４ａ，４ｂの幅Ｗ２は、Ｗ１／２≦Ｗ２＜Ｗ１の範囲内とされる。
【００２１】
これにより、各係止片４ａ，４ｂに必要な強度を確保するとともに、各係止片４ａ，４ｂを例えば基部片３上に折り畳んだ際に、切起片２の全体幅が挿通孔５１の孔径よりも小さくなるため、切起片２を挿通孔５１内に容易に挿通することができる。
【００２２】
また、基部片３の長さ（上端の折曲部３１から下端縁に至るまでの長さ）Ｈは、この切起片２から挿通孔５１をより外れ難くするため、Ｗ１＜Ｈ、すなわち基部片３の幅よりも大きくされている。
【００２３】
さらに、台紙１の切起片２が切り抜かれて形成された切抜孔１１（図２参照）の下端側には、基部片３とほぼ同じ幅を有し、山形状に形成された舌片１２が設けられている。すなわち、この舌片１２は基部片３の下端側を凹ませることに対応して形成される。
【００２４】
このように構成された台紙１の切起片２に、商品（被吊下物）５を吊り下げるには、図３に示されているように、まず、切起片２の各係止片４ａ，４ｂをそれぞれ仮想の折曲線Ａ，Ａに沿って基部片３寄り側に折り曲げてほぼＵ字形の棒状体とする。
【００２５】
次に、商品５のパッケージの上側に穿設されている挿通孔５１を、上記のように棒状に折り曲げられた切起片２に差し込み、谷溝４１ａ，４１ｂが挿通孔５１から出るようにする。
【００２６】
しかる後、図４に示されているように、基部片３の両翼の係止片４ａ，４ｂを元の状態に開くようにして戻す。これにより、切起片２の幅が挿通孔５１の孔径よりも大きくなるため、挿通孔５１が切起片２から抜け出ることはない。また、基部片３の両側に係止片４ａ，４ｂが一体に設けられているため、切起片２が吊り下げ商品５の荷重に負けてへたってしまうおそれもない。
【００２７】
この場合、係止片４ａ，４ｂと基部片３の折曲部３１の端部との間に谷溝４１ａ，４１ｂが形成されるため、商品５の重量が重いほど、その挿通孔５１の内縁が谷溝内に食い込むことになり、輸送中の振動や衝撃に対してより外れにくくなる。なお、商品５を台紙１から取り外すには、上記と逆の手順を踏めばよい。
【００２８】
また、この商品陳列用吊下具によれば、図５に示されているように、台紙１の切抜孔１１の下端側に形成されている舌片１２を利用して商品５を吊り下げることもできる。この舌片１２は、もっぱら店頭において台紙１に商品５を補充する際に用いられる。
【００２９】
上記実施例では、各係止片４ａ，４ｂを基部片３を中心として左右対称形としているが、場合によっては、各係止片４ａ，４ｂを異なる形状としてもよい。また、上記実施例では、各係止片４ａ，４ｂと基部片３との間の一部に谷溝４１ａ，４１ｂ形成しているが、各係止片４ａ，４ｂを基部片３の側縁（折曲線Ａの部分）の全幅にわたって連設してもよい。
【００３０】
【発明の効果】
以上説明したように、本発明によれば、台紙から切り起こされる切起片を、上端縁のみが折曲部として、上記台紙本体に連設された基部片と台紙本体から切り離され、基部片の左右両側に折り曲げ可能に連設された第１係止片および第２係止片とを備えた構成としたことにより、輸送中などの振動により被吊下物である商品が外れることがなく、しかも耐荷重性に優れた商品陳列用吊下具が提供される。
【００３１】
また、左右の各係止片と基部片との間に谷溝を形成し、その谷溝内に挿通孔の内縁を食い込ませるようにしたことにより、輸送中の振動や衝撃に対して被吊下物をより一層外れにくくすることができる。
【００３２】
さらには、台紙本体の切起片が切り抜かれて形成される切抜き孔の下端部に、被吊下物の挿通孔を引っ掛かけて係止する舌片を形成することにより、店頭において商品を適宜補充することができるとともに、より多くの商品を陳列することが可能となる。
【図面の簡単な説明】
【図１】本発明の実施例に係る商品陳列用吊下具の要部正面図。
【図２】上記実施例において、切起片を台紙本体から引き起こした状態を示す要部斜視図。
【図３】上記切起片に商品（被吊下物）を取り付ける手順を説明するための要部斜視図。
【図４】最終的に上記切起片に商品を取り付けた状態を示す要部斜視図。
【図５】上記実施例において、切起片とは別の舌片に商品を吊り下げた状態を示す要部斜視図。
【図６】従来の商品陳列用吊下具の切起片を示す部分正面図。
【図７】上記従来の商品陳列用吊下具に商品を吊り下げた状態を示す要部斜視図。
【符号の説明】
１  台紙
１１  切抜孔
１２  凸部
２  切起片
３  基部片
３１  連結部
４ａ，４ｂ  係止片
４１ａ，４１ｂ  谷溝
５  被吊下物（商品）
５１  挿通孔
Ａ  仮想折曲線
【図１】
0004417462.tif 000002
【図２】
0004417462.tif 000003
【図３】
0004417462.tif 000004
【図４】
0004417462.tif 000005
【図５】
0004417462.tif 000006
【図６】
0004417462.tif 000007
【図７】
0004417462.tif 000008